(57)【要約】【課題】地上アナログテレビジョン放送と地上ディジタルテレビジョン放送の視聴と装置の小型化を可能とする。【解決手段】基準周波数信号生成部２２３は、基準周波数信号を生成して、高周波信号処理部２２１とディジタル復調部２２６に供給する。高周波信号処理部２２１は、放送波を受信して得られた高周波信号から、基準周波数信号を用いて所望のチャネルの信号を得る。アナログ復調部２２５は、高周波信号処理部２２１で得られた信号のアナログ復調処理を行う。ディジタル復調部２２６は、基準周波数信号を用いて高周波信号処理部２２１で得られた信号のディジタル復調処理を行う。地上アナログテレビジョン放送と地上ディジタルテレビジョン放送の視聴が可能であり、高周波信号処理部２２１とディジタル復調部２２６に基準周波数信号生成のための回路を設ける必要がなく小型化できる。【選択図】        図２
2006191388.tif 000002
【特許請求の範囲】
【請求項１】
基準周波数信号を生成する基準周波数信号生成手段と、
放送波を受信して得られた高周波信号から、前記基準周波数信号を用いて所望のチャネルの信号を得る高周波信号処理手段と、
前記高周波信号処理手段で得られた信号のアナログ復調処理を行うアナログ復調手段と、
前記高周波信号処理手段で得られた信号のディジタル復調処理を、前記基準周波数信号を用いて行うディジタル復調手段とを有する
ことを特徴とする高周波信号受信装置。
【請求項２】
前記アナログ復調手段に対する電力供給を制御する電力供給制御手段を設け、
前記ディジタル復調手段では受信状況を示す情報の生成を行い、前記電力供給制御手段では前記受信状況を示す情報に基づき受信状況が所定レベルよりも悪化したと判別したとき前記アナログ復調手段に対して電力供給を行う
ことを特徴とする請求項１記載の高周波信号受信装置。
【請求項３】
前記高周波信号処理手段は、
前記基準周波数信号を用いて複数段の周波数変換を行い、地上アナログテレビジョン放送における所望のチャネルの信号を得て前記アナログ復調手段に供給するアナログ放送用高周波信号処理手段と、
前記基準周波数信号を用いて前記アナログ放送用高周波信号処理手段よりも少ない段数の周波数変換を行い、地上ディジタルテレビジョン放送における所望のチャネルの信号を得て前記ディジタル復調手段に供給するディジタル放送用高周波信号処理手段を備える
ことを特徴とする請求項１記載の高周波信号受信装置。
【請求項４】
前記アナログ放送用高周波信号処理手段と前記ディジタル放送用高周波信号処理手段と前記アナログ復調手段に対する電力供給を制御する電力供給制御手段を設け、
前記ディジタル復調手段では受信状況を示す情報の生成を行い、
前記電力供給制御手段は、前記ディジタル放送用高周波信号処理手段への電力供給中に前記受信状況を示す情報に基づき受信状況が所定レベルよりも悪化したと判別したとき、前記ディジタル放送用高周波信号処理手段に代えて前記アナログ放送用高周波信号処理手段と前記アナログ復調手段に対して電力供給を行う
ことを特徴とする請求項３記載の高周波信号受信装置。
【発明の詳細な説明】
【技術分野】
【０００１】
この発明は、高周波信号受信装置に関する。詳しくは、基準周波数信号を生成する基準周波数信号生成手段と、放送波を受信して得られた高周波信号から、基準周波数信号を用いて所望のチャネルの信号を得る高周波信号処理手段と、高周波信号処理手段で得られた信号のアナログ復調処理を行うアナログ復調手段と、高周波信号処理手段で得られた信号のディジタル復調処理を、基準周波数信号を用いて行うディジタル復調手段とを備えることで、地上ディジタルテレビジョン放送と地上アナログテレビジョン放送の放送波を受信できる高周波受信装置の小型化を可能とするものである。
【背景技術】
【０００２】
近年、携帯機器の高機能化に伴い、地上アナログテレビジョン放送の放送波を受信することが可能とされている。図４は、地上アナログテレビジョン放送の放送波を受信するために用いられる高周波信号受信装置の構成を示す図である。
【０００３】
放送受信アンテナ５１によって放送波を受信して得られた高周波信号は、高周波信号処理部５２の高周波増幅器５２-1で所定の信号レベルに増幅されて、第一混合器５２-2に供給される。第一混合器５２-2は、高周波増幅器５２-1から供給された信号に第一局部発振回路５２-3からの選局するチャネルに応じた周波数の発振信号を掛け合わせて、数ＧＨｚの第一中間周波数信号を生成する。この第一中間周波数信号は、ＳＡＷフィルタ（表面弾性波フィルタ）５３で帯域制限されたのち第二混合器５２-4に供給される。第二混合器５２-4は、ＳＡＷフィルタ５３から供給された信号に第二局部発振回路５２-5から供給された発振信号を掛け合わせて、第二中間周波数信号を生成する。増幅器５２-8は、第二中間周波数信号を所定の信号レベルに増幅し、ＳＡＷフィルタ５４を介してアナログ復調部５５に供給する。アナログ復調部５５では、中間周波数増幅器５５-1で第二中間周波信号を増幅して、映像検波器５５-2に供給する。映像検波器５５-2は、第二中間周波信号に発振回路５５-3から供給された映像搬送波と周波数が等しい発振信号を掛け合わせて検波出力信号を生成して、低域フィルタ５５-4と帯域通過フィルタ５５-6に供給する。低域フィルタ５５-4は、検波出力信号から低周波成分のみを抽出することによりアナログ映像信号を得て、映像出力増幅器５５-5を介して出力する。また、帯域通過フィルタ５５-6は、検波出力信号から所定の帯域の信号成分のみを抽出して、ＦＭ検波回路５５-7に供給する。ＦＭ検波回路５５-7は、供給された信号の検波処理を行い、得られたベースバンドのアナログ音声信号を出力する。なお、第一局部発振回路５２-3にはＰＬＬ回路５２-6、第二局部発振回路５２-5にはＰＬＬ回路５２-7がそれぞれ接続されており、ＰＬＬ回路５２-6，５２-7は、基準周波数信号生成部５６で生成される基準周波数信号を用いて、第一局部発振回路５２-3および第二局部発振回路５２-5で生成される発振信号が所望の周波数となるように制御する。
【０００４】
このように構成される高周波信号受信装置は、例えば特許文献１に示されているようにカード型のケース内に搭載される。このため、カード型の高周波信号受信装置を携帯機器のカードスロットに装着するだけで、それらの携帯機器に対してテレビジョン放送の受信機能を簡単に付加することができる。
【０００５】
また、地上波を用いる放送では、地上アナログテレビジョン放送だけでなく、ＩＳＤＢ−Ｔ(Integrated Services Digital Broadcasting−Terrestrial)方式を用いた地上ディジタルテレビジョン放送も開始されている。この地上ディジタルテレビジョン放送では、マルチパス(遅延波)や隣接チャネルからの干渉等による妨害の影響を少なくするためにＯＦＤＭ(直交周波数分割多重)方式が採用されている。１チャネルの伝送帯域（周波数帯域幅６ＭＨｚ）は１３個のセグメント（１セグメントの帯域幅：６／１４ＭＨｚ）に分割されており、セグメント毎に伝送パラメータや伝送する情報を設定して、ハイビジョン放送や複数の標準テレビジョン放送、自動車での受信や携帯端末での受信に適した地上ディジタルテレビジョン放送が可能とされている。ここで、１３個のセグメントにおける中央のセグメントは、携帯・移動受信向けに設けられており、この中央のセグメントだけを受信する狭帯域受信を行うことにより、携帯機器等で容易に地上ディジタルテレビジョン放送を視聴できるようになされている。
【０００６】
図５は、地上ディジタルテレビジョン放送を受信する際に用いられるテレビジョン受信装置の構成を示している。放送受信アンテナ５１によって放送波を受信して得られた高周波信号は、高周波信号処理部５７の高周波増幅器５７-1で所定の信号レベルに増幅されて、混合器５７-2に供給される。混合器５７-2は、高周波増幅器５７-1から供給された信号に局部発振回路５７-3からの選局するチャネルに応じた周波数の発振信号を掛け合わせて中間周波信号を生成して、増幅器５７-4を介してディジタル復調部５８に供給する。ディジタル復調部５８のＡ／Ｄ変換回路５８-1は、中間周波信号をディジタル信号に変換して、得られたディジタル信号をＯＦＤＭ復調回路５８-2に供給する。ＯＦＤＭ復調回路５８-2は、ＯＦＤＭ復調を行い、得られた復調信号を復調信号処理回路５８-3に供給する。復調信号処理回路５８-3は、復調信号の誤り訂正処理等を行いトランスポートストリームとして出力する。このように、高周波信号処理部５７は、シングルコンバージョン方式が用いられており、ダブルコンバージョン方式を用いた地上アナログテレビジョン放送受信装置よりも省電力化が図られている。なお、局部発振回路５７-3にはＰＬＬ回路５７-5が接続されており、ＰＬＬ回路５７-5は、基準周波数信号生成部５９で生成される基準周波数信号を用いて、局部発振回路５７-3で生成される発振信号が所望の周波数となるように制御する。また、ディジタル復調部５８は、クロック信号生成部６０から供給されたクロック信号を用いて動作が行われる。
【０００７】
【特許文献１】特開平５−１４１３３号公報
【発明の開示】
【発明が解決しようとする課題】
【０００８】
ところで、地上アナログテレビジョン放送は、首都圏の市街地では遅延波によりゴースト等を生じて画面が乱れ易いという問題を有している。また、動きながら地上アナログテレビジョン放送の放送波を受信する場合にも画面の乱れを生じ易い。
【０００９】
一方、地上ディジタルテレビジョン放送は、ガードインターバルを挿入することで遅延波が生じても遅延波の影響を軽減できるようになされており、市街地で地上ディジタルテレビジョン放送の放送波を受信したり、動きながら地上ディジタルテレビジョン放送の放送波を受信しても良好な画像を得ることができる。しかし、地上ディジタルテレビジョン放送は、当面一部の地域でしか放送が始まらないため、地上ディジタルテレビジョン放送だけサポートしたモバイル機器では地域を移動することによりテレビジョン放送波を受信することができなくなってしまう。
【００１０】
そこで、この発明では、地上アナログテレビジョン放送と地上ディジタルテレビジョン放送の受信機能を備え、小型化が可能な高周波信号受信装置を提供するものである。
【課題を解決するための手段】
【００１１】
この発明に係る高周波受信装置は、基準周波数信号を生成する基準周波数信号生成手段と、放送波を受信して得られた高周波信号から、基準周波数信号を用いて所望のチャネルの信号を得る高周波信号処理手段と、高周波信号処理手段で得られた信号のアナログ復調処理を行うアナログ復調手段と、高周波信号処理手段で得られた信号のディジタル復調処理を、基準周波数信号を用いて行うディジタル復調手段とを備えたものである。
【００１２】
この発明においては、地上アナログテレビジョン放送や地上ディジタルテレビジョン放送の放送波を受信して得られた高周波信号から所望のチャネルの信号を得る高周波信号処理手段と、地上アナログテレビジョン放送の放送波を受信したときに高周波信号処理手段で得られた信号のアナログ復調処理を行うアナログ復調手段と、地上ディジタルテレビジョン放送の放送波を受信したときに高周波信号処理手段で得られた信号のディジタル復調処理を行うディジタル復調手段と、基準周波数信号を生成する基準周波数信号生成手段が設けられて、高周波信号処理手段やディジタル復調手段では、基準周波数信号生成手段で生成された基準周波数信号を用いて動作が行われる。また、ディジタル復調手段では受信状況を示す情報の生成が行われて、この受信状況を示す情報に基づき受信状況が所定レベルよりも悪化したと判別したとき、電力制御手段によってアナログ復調手段に対する電力供給が行われる。さらに、高周波信号処理手段は、基準周波数信号を用いて複数段の周波数変換を行い、地上アナログテレビジョン放送における所望のチャネルの信号を得るアナログ放送用高周波信号処理手段と、基準周波数信号を用いてアナログ放送用高周波信号処理手段よりも少ない段数の周波数変換を行い地上ディジタルテレビジョン放送の所望のチャネルの信号を得るディジタル放送用高周波信号処理手段を有するものとされて、受信状況を示す情報に基づき受信状況が所定レベルよりも悪化したと判別したとき、ディジタル放送用高周波信号処理手段に代えてアナログ放送用高周波信号処理手段とアナログ復調手段に対する電力供給が行われる。
【発明の効果】
【００１３】
この発明によれば、基準周波数信号を生成する基準周波数信号生成手段と、放送波を受信して得られた高周波信号から、基準周波数信号を用いて所望のチャネルの信号を得る高周波信号処理手段と、高周波信号処理手段で得られた信号のアナログ復調処理を行うアナログ復調手段と、高周波信号処理手段で得られた信号のディジタル復調処理を、基準周波数信号を用いて行うディジタル復調手段が設けられる。このように基準周波数信号生成手段で生成された基準周波数信号を用いて、高周波信号処理手段とディジタル復調手段の動作が行われるため、高周波信号処理手段とディジタル復調手段のそれぞれで基準となる信号を生成する必要がなく、地上アナログテレビジョン放送や地上ディジタルテレビジョン放送の放送波を受信できる高周波信号受信装置を小型化できる。
【００１４】
また、ディジタル復調手段では受信状況を示す情報の生成が行われて、この受信状況を示す情報に基づき受信状況が所定レベルよりも悪化したと判別したとき、アナログ復調手段に対する電力供給が行われるので、地上ディジタルテレビジョン放送を良好に受信できないとき、地上アナログテレビジョン放送の視聴が可能となる。また、地上ディジタルテレビジョン放送を良好に受信しているときには、アナログ復調手段に対する電力供給が停止されているので、地上ディジタルテレビジョン放送を視聴しているときの消費電力を削減できる。
【００１５】
また、高周波信号処理手段は、基準周波数信号を用いて複数段の周波数変換を行い、地上アナログテレビジョン放送における所望のチャネルの信号を得てアナログ復調手段に供給するアナログ放送用高周波信号処理手段と、基準周波数信号を用いてアナログ放送用高周波信号処理手段よりも少ない段数の周波数変換を行い、地上ディジタルテレビジョン放送における所望のチャネルの信号を得てディジタル復調手段に供給するディジタル放送用高周波信号処理手段が設けられる。このため、地上アナログテレビジョン放送と地上ディジタルテレビジョン放送の同時受信が可能となり、別々の番組を同時に視聴したり、地上ディジタルテレビジョン放送で行われているデータ放送の受信しながら、地上アナログテレビジョン放送の番組を視聴することが可能となる。
【００１６】
さらに、ディジタル放送用高周波信号処理手段への電力供給中に、受信状況を示す情報に基づき受信状況が所定レベルよりも悪化したと判別したとき、ディジタル放送用高周波信号処理手段に代えてアナログ放送用高周波信号処理手段とアナログ復調手段に対して電力供給が行われる。ここで、ディジタル放送用高周波信号処理手段は、アナログ放送用高周波信号処理手段よりも少ない段数の周波数変換を行い、地上ディジタルテレビジョン放送における所望のチャネルの信号を得るものでアナログ放送用高周波信号処理手段よりも消費電力が少ないことから、地上アナログテレビジョン放送と地上ディジタルテレビジョン放送で高周波信号処理手段を共用する場合に比べて、地上ディジタルテレビジョン放送を視聴しているときの消費電力を更に削減できる。
【発明を実施するための最良の形態】
【００１７】
以下、図を参照しながら、この発明の実施の形態について説明する。図１は、高周波信号受信装置を、例えばモジュール化して携帯電話端末に搭載した場合を示している。
【００１８】
携帯電話端末１０において、無線通信のための通信アンテナ１１は、携帯電話モジュール１２と接続される。また、携帯電話モジュール１２には、受話器１３と送話器１４が接続される。携帯電話モジュール１２は、通信アンテナ１１から送信する信号の生成や通信アンテナ１１で受信した信号の処理を行う高周波信号処理部、音声データや情報データ等のベースバンド信号の処理を行うベースバンド信号処理部、音声の帯域圧縮を行う音声コーデックなどで構成されている。
【００１９】
この携帯電話モジュール１２では、キー操作部のダイヤル操作や着信応答操作等に応じて携帯電話網に接続し、目的とする相手先との間で受話器１３や送話器１４を利用して通話を行う。また、後述する表示選択部３３に表示信号を供給して、この表示信号に基づいた表示を表示部３５で行わせることにより、表示部３５の表示を利用して電子メールを作成して送信する処理や、自機宛ての電子メールを受信して表示部３５に表示する処理、Ｗｅｂページの閲覧処理等を行う。なお、電子メールの送受信やＷｅｂページの閲覧は、携帯電話網を経由してインターネットに接続して行われる。
【００２０】
放送波を受信する放送受信アンテナ２１は、高周波信号受信装置であるチューナモジュール２２と接続される。チューナモジュール２２は、地上アナログテレビジョン放送や地上ディジタルテレビジョン放送の受信を行うためのものである。ここで、地上アナログテレビジョン放送して受信して得られた映像信号は表示選択部３３に供給し、音声信号は音声選択部３６に供給する。また、地上ディジタルテレビジョン放送の放送波を受信して得られたトランスポートストリームはデマルチプレクサ３１に供給する。
【００２１】
デマルチプレクサ３１は、供給されたトランスポートストリームから放送番組の映像データや音声データを抽出してデコーダ３２に供給する。デコーダ３２は、供給された映像データや音声データの伸長処理等を行い、圧縮符号化前の映像データと音声データに復元する。さらに、復元した映像データを表示選択部３３、音声データを音声選択部３６にそれぞれ供給する。
【００２２】
表示選択部３３は、ユーザが電話機能を選択しているとき、携帯電話モジュール１２から供給された表示信号を選択して表示駆動処理部３４に供給する。また、ユーザがテレビジョン受信機能を選択しているときは、チューナモジュール２２から供給された映像信号やデコーダ３２から供給された映像データを選択して表示駆動処理部３４に供給する。
【００２３】
表示駆動処理部３４は、表示選択部３３で選択された表示信号や映像信号，映像データに基づき表示駆動信号を生成して表示部３５に供給する。表示部３５は、ＬＣＤ(Liquid Crystal Display)や有機ＥＬ(Electro Luminescence)ディスプレイ等の表示素子を用いて構成されており、表示駆動処理部３４から供給された表示駆動信号に基づき表示素子を駆動して、電話機能に関する情報表示、例えば電話帳リスト，送信電子メール，受信電子メール，Ｗｅｂページの情報、その他の各種のガイダンス情報やメッセージ情報などを表示する。また、受信した地上アナログテレビジョン放送や地上ディジタルテレビジョン放送の番組の映像表示を行う。
【００２４】
音声選択部３６は、チューナモジュール２２から供給された音声信号あるいはデコーダ３２から供給された音声データを選択して音声信号処理部３７に供給する。音声信号処理部３７は、音声信号の信号レベルを可変して音量調整等を行い、所望の信号レベルの音声信号を音声出力部３８に供給する。なお、音声信号処理部３７は、音声データが供給されたときアナログの音声信号に変換する処理も行う。音声出力部３８は、スピーカ等で構成されており、供給された音声信号に基づいて受信した放送番組の音声を出力する。
【００２５】
制御部４０には、ユーザインタフェース４１が接続されており、ユーザインタフェース４１からユーザによる電話操作や選局操作等に応じた操作信号が供給されたときには、携帯電話端末の動作がユーザの操作に対応した動作となるように制御信号を生成して、携帯電話モジュール１２やチューナモジュール２２等に供給する。例えば、ユーザインタフェース４１で電話機能が選択されて通話操作等が行われていたとき、携帯電話モジュール１２を用いて所望の相手先との回線接続処理等を行う。また、ユーザインタフェース４１でテレビジョン受信機能が選択されてチャネル操作等が行われていたとき、チューナモジュール２２を用いて所望のテレビジョン番組を視聴できるように処理を行う。
【００２６】
図２は、チューナモジュールの構成を示している。チューナモジュール２２は高周波信号処理部２２１、ＳＡＷフィルタ２２２，２２４、基準周波数信号生成部２２３、アナログ復調部２２５、ディジタル復調部２２６及び電力供給切換スイッチ２２７を有している。
【００２７】
放送受信アンテナ２１で放送波を受信して得られた高周波信号は、高周波信号処理部２２１に供給される。なお、図に示す高周波信号処理部２２１は、ダブルスーパーヘテロダイン方式（アップダウンコンバータ方式）を用いた構成を例示している。
【００２８】
高周波信号処理部２２１の高周波増幅器２２１-1は、放送受信アンテナ２１から供給された高周波信号を所望の信号レベルに増幅して第一混合器２２１-2に供給する。
【００２９】
第一混合器２２１-2には、第一局部発振回路２２１-3から選局するチャネルに応じた周波数の発振信号が供給される。第一混合器２２１-2は、高周波増幅器２２１-1から供給された高周波信号に第一局部発振回路２２１-3からの発振信号を掛け合わせて、例えば１．２ＧＨｚ等の周波数にアップコンバートした信号を生成してＳＡＷフィルタ２２２に供給する。ＳＡＷフィルタ２２２は、第一混合器２２１-2から供給された信号の帯域制限を行い、不要成分を除去して第二混合器２２１-7に供給する。
【００３０】
このように、放送受信アンテナ２１で受信した信号をアップコンバートしてＳＡＷフィルタ２２２に供給して帯域制限を行うことにより、空芯コイル等を用いることなく目的とする信号を効率よく抽出することが可能となり、チューナモジュールを小型化できる。
【００３１】
第一局部発振回路２２１-3は、生成した発振信号を第一混合器２２１-2と分周回路２２１-4に供給する。分周回路２２１-4と後述する位相比較回路２２１-5および低域フィルタ２２１-6はＰＬＬ回路を構成するものである。分周回路２２１-4は、制御部４０から制御信号に含まれる選局指示に応じた分周比で発振信号を分周して位相比較回路２２１-5に供給する。
【００３２】
位相比較回路２２１-5には、基準周波数信号生成部２２３から基準周波数信号が供給されており、この基準周波数信号と分周回路２２１-4から供給された信号との位相を比較して、比較結果を低域フィルタ２２１-6を介して第一局部発振回路２２１-3に供給する。このため、第一局部発振回路２２１-3で生成する発振信号は、選局するチャネルに応じた周波数であって基準周波数信号に同期した信号となる。
【００３３】
第二混合器２２１-7には、第二局部発振回路２２１-8から発振信号が供給される。第二混合器２２１-7は、ＳＡＷフィルタ２２２から供給された信号に第二局部発振回路２２１-8から供給された発振信号を掛け合わせて中間周波信号に変換し、増幅器２２１-12を介して出力する。
【００３４】
第二局部発振回路２２１-8は、生成した発振信号を第二混合器２２１-7と分周回路２２１-9に供給する。分周回路２２１-9と後述する位相比較回路２２１-10および低域フィルタ２２１-11はＰＬＬ回路を構成するものである。分周回路２２１-9は、発振信号を分周して位相比較回路２２１-10に供給する。
【００３５】
位相比較回路２２１-10には、基準周波数信号生成部２２３から基準周波数信号が供給されており、この基準周波数信号と分周回路２２１-9から供給された信号との位相を比較して、比較結果を低域フィルタ２２１-11を介して第二局部発振回路２２１-8に供給する。このため、分周回路２２１-9における分周比を制御して、ＳＡＷフィルタ２２２から供給された信号を第二混合器２２１-7によって所望の中間周波数信号に変換できる。また、第二局部発振回路２２１-8から出力される発振信号は、基準周波数信号生成部２２３からの基準周波数信号に同期した信号となる。
【００３６】
このようにして、高周波信号処理部２２１は、地上アナログテレビジョン放送の受信時に、所望のチャネルの中間周波数信号を生成する。また、地上ディジタルテレビジョン放送の受信時には、所望のチャネルの中央のセグメントを受信する狭帯域受信を行って中間周波信号を生成する。
【００３７】
高周波信号処理部２２１で生成された中間周波信号は、ＳＡＷフィルタ２２４を介してアナログ復調部２２５に供給される。またＳＡＷフィルタ２２４を介することなくディジタル復調部２２６に供給される。さらに、基準周波数信号生成部２２３で生成された基準周波数信号は、高周波信号処理部２２１の増幅器２２１-13を介してディジタル復調部２２６に供給される。
【００３８】
図２に示すアナログ復調部２２５は同期検波方式を用いた場合の構成を示している。アナログ復調部２２５の中間周波増幅器２２５-1は、ＳＡＷフィルタ２２４を介して供給された中間周波信号を所定の信号レベルにまで増幅し、位相比較回路２２５-2と映像検波器２２５-5に供給する。
【００３９】
位相比較回路２２５-2は、中間周波信号と発振回路２２５-4で生成された発振信号の位相比較を行い、比較結果を低域フィルタ２２５-3を介して発振回路２２５-4に供給する。このため、発振回路２２５-4は、映像搬送波と周波数が等しく位相が同期している発振信号を生成する。
【００４０】
映像検波器２２５-5は、発振回路２２５-4から供給された発振信号の位相をπ／２シフトして、中間周波信号と掛け合わせて検波出力信号を生成し、生成した検波出力信号を低域フィルタ２２５-6と帯域通過フィルタ２２５-8に供給する。
【００４１】
低域フィルタ２２５-6は、検波出力信号から低周波成分のみを抽出することによりアナログ映像信号ＳＶaを得る。このアナログ映像信号ＳＶaは、映像出力増幅器２２５-7によって増幅されて表示選択部３３に供給される。
【００４２】
帯域通過フィルタ２２５-8は、検波出力信号から所定の帯域の信号成分のみを抽出して、ＦＭ検波回路２２５-9に供給する。ＦＭ検波回路２２５-9は、供給された信号の検波処理を行い、得られたベースバンドのアナログ音声信号ＳＡaを音声選択部３６に供給する。
【００４３】
なお、アナログ復調部２２５は、中間周波信号を用いて映像搬送波と周波数が等しく位相が同期している発振信号を生成するものとしたが、基準周波数信号生成部２２３で生成された基準周波数信号を用いて、映像搬送波と周波数が等しく位相が同期している発振信号を生成するものとしても良い。
【００４４】
ディジタル復調部２２６は、Ａ／Ｄ変換回路２２６-1とＯＦＤＭ復調回路２２６-2と復調信号処理回路２２６-3およびポート制御回路２２６-4を用いて構成されており、高周波信号処理部２２１の増幅器２２１-13から供給された基準周波数信号等を用いて動作する。
【００４５】
ディジタル復調部２２６のＡ／Ｄ変換回路２２６-1は、高周波信号処理部２２１から供給された中間周波信号をディジタル信号に変換してＯＦＤＭ復調回路２２６-2に供給する。
【００４６】
ＯＦＤＭ復調回路２２６-2は、Ａ／Ｄ変換回路２２６-1から供給されたディジタル信号のＯＦＤＭ復調処理を行い、得られたＯＦＤＭ復調信号を復調信号処理回路２２６-3に供給する。復調信号処理回路２２６-3は、供給されたＯＦＤＭ復調信号に対して誤り検出訂正処理を行う。また、放送信号に多重されているＴＭＣＣ(Transmission and Multiplexing Configuration Control)信号のデコード処理を行う。これにより、目的とする地上ディジタルテレビジョン放送の映像データパケットや音声データパケットからなるトランスポートストリームを得てデマルチプレクサ３１に供給する。また、復調信号処理回路２２６-3は、受信状況を示す情報例えば誤り検出訂正処理を行ったときに得られたエラーレートやＴＭＣＣ信号のデコードが正しく完了したか否かを示す情報を、ポート制御回路２２６-4に供給する。ポート制御回路２２６-4は、受信状況を示す情報、あるいは制御部４０から供給された制御信号等に基づき電力供給制御信号を生成して、出力ポートから電力供給切換スイッチ２２７に供給し、電力供給切換スイッチ２２７の動作を制御する。
【００４７】
ポート制御回路２２６-4と電力供給切換スイッチ２２７は、電力供給制御手段を構成するものであり、図２に示すチューナモジュールでは、消費電力の少ないディジタル復調部２２６にポート制御回路２２６-4を設けている。この場合、ディジタル復調部２２６を集積回路化したときにポート制御回路２２６-4も内蔵されることから、ポート制御回路２２６-4のための基板スペースが不要となり、携帯電話端末を更に小型化できる。
【００４８】
このように、チューナモジュール２２では、高周波信号処理部２２１で用いる基準周波数信号をディジタル復調部２２６でも利用する構成としたことにより、ディジタル復調部２２６に発振回路を設ける必要がなく、チューナモジュール２２を小型化できる。また、地上ディジタルテレビジョン放送を受信するための回路と地上アナログテレビジョン放送を受信するための回路が一体にモジュール化されているので、アンテナから高周波回路までの引き回しを最適化することが容易となり、テレビジョン放送波を受信する場合に、電話モジュール等が出すノイズによる妨害を受け難くできる。
【００４９】
さらに、チューナモジュール２２のアナログ復調部２２５に対する電力供給は、電力供給制御信号に基づいて行う。すなわち、復調信号処理回路２２６-3における誤り検出訂正処理で得られたエラーレートが所定レベルを超えていないときや、復調信号処理回路２２６-3でＴＭＣＣ信号のデコードが正しく完了しているとき、ポート制御回路２２６-4は、受信状況が所定レベルよりも良好であると判別し、電力供給制御信号によって電力供給切換スイッチ２２７を制御して、アナログ復調部２２５に対する電力供給を行わないものする。また、エラーレートが所定レベルを超えたりＴＭＣＣ信号のデコードを正しく完了できないとき、ポート制御回路２２６-4は、受信状況が所定レベルよりも悪化したと判別し、電力供給制御信号によって電力供給切換スイッチ２２７を制御して、アナログ復調部２２５に対する電力供給を行うものとする。さらに、アナログ復調部２２５に対する電力供給を行うときには、高周波信号処理部２２１で地上アナログテレビジョン放送を受信するように例えば制御部４０によってチャネル切換処理を行う。ここで、地上ディジタルテレビジョン放送と地上アナログテレビジョン放送のチャネル番号を予め関係付けて登録しておくものとすれば、視聴していた地上ディジタルテレビジョン放送のチャネルから、関係付けられている地上アナログテレビジョン放送のチャネルに、自動的に切り換えることができる。
【００５０】
また、電力供給制御信号の生成は、マイクロコンピュータ等を用いて構成した制御部４０で制御するものとしても良い。すなわち、制御部４０は、復調信号処理回路２２６-3における誤り検出訂正処理で得られたエラーレートやＴＭＣＣ信号のデコード結果を読み出して、受信状況が所定レベルよりも悪化しているか否かの判別を行い判別結果に基づいて制御信号を生成してポート制御回路２２６-4に供給する。ポート制御回路２２６-4は、制御部４０から供給された制御信号に基づいて電力供給制御信号を生成する。このように構成すれば、ポート制御回路２２６-4の構成を簡単とすることができる。また、受信状況が悪化しているか否かの判別の基準となるレベルを制御部４０で自由に設定できる。このように制御部４０で受信状況を判別する場合、電力供給制御手段には制御部４０が含まれる。
【００５１】
なお、ユーザ操作によって受信する放送が地上ディジタルテレビジョン放送あるいは地上アナログテレビジョン放送の何れかに固定されたときは、制御部４０から供給されたユーザ操作に応じた制御信号に基づいた電力供給制御信号を電力供給切換スイッチ２２７に供給して、所望の放送が受信できるように電力供給を行う。
【００５２】
さらに、図示せずも、電力供給切換スイッチ２２７の制御動作に連動させて表示選択部３３と音声選択部３６で選択される信号の切り換えを行う。すなわち、アナログ復調部２２５に対する電力供給を行わないものとしたときには、デコーダ３２から出力された信号を選択させる。アナログ復調部２２５に対する電力供給を行うときには、アナログ復調部２２５から出力された信号を選択させる。このように、選択する信号の切換を行うことで、高周波信号処理部２２１で選局したチャネルの放送番組を視聴可能とすることができる。なお、表示選択部３３と音声選択部３６で選択される信号の切り換えは、ポート制御回路２２６-4から行うものとしても良く、制御部４０から行うものとしても良い。
【００５３】
このように、受信状況に応じて上述のようにアナログ復調部２２５に対する電力供給等を制御すれば、地上ディジタルテレビジョン放送を良好に受信しているときには、アナログ復調部２２５に対する電力供給が停止されているので、消費電力を少なくできる。また、地上ディジタルテレビジョン放送の受信の際に受信状況が所定レベルより悪化しても、自動的に地上アナログテレビジョン放送の受信番組を提示できる。このため、例えば地上ディジタルテレビジョン放送のサービスエリア内では、移動しながらでも高画質でテレビジョン番組を視聴でき、サービスエリア外となっても地上アナログテレビジョン放送の番組を視聴できる。
【００５４】
さらに、携帯電話モジュール１２を用いて無線基地局との通信を行い、携帯電話端末の位置が地上ディジタルテレビジョン放送のサービスエリア内であるか否かを判別して、判別結果に基づきアナログ復調部２２５に対する電力供給を制御するものとしてもよい。この場合、携帯電話端末の位置が地上ディジタルテレビジョン放送のサービスエリア内であることを例えば制御部４０で判別したときには、制御部４０からの制御信号に基づきポート制御回路２２６-4で電力供給制御信号を生成して電力供給切換スイッチ２２７を制御して、アナログ復調部２２５に対する電力供給を停止する。また、携帯電話端末の位置がサービスエリア内でないときには、アナログ復調部２２５に対して電力供給を行い、地上アナログテレビジョン放送の番組を提示させる。
【００５５】
ところで、上述の高周波信号処理部２２１は、２段の周波数変換を行うダブルスーパーヘテロダイン方式を用いた構成とされているが、地上ディジタルテレビジョン放送の放送波を受信する場合、ダブルスーパーヘテロダイン方式よりも周波数変換の段数が少ない方式、例えば周波数変換が１段であるシングルコンバージョン方式を用いるものとすれば、回路構成がダブルスーパーヘテロダイン方式を用いる場合に比べて簡単となり消費電力を少なくすることが可能となる。
【００５６】
そこで、地上アナログテレビジョン放送の放送波を受信する際に用いる高周波信号処理部（以下「アナログ放送用高周波信号処理部」という）と、地上ディジタルテレビジョン放送の放送波を受信する際に用いる高周波信号処理部（以下「ディジタル放送用高周波信号処理部」という）を別個に設け、ディジタル放送用高周波信号処理部は、消費電力の少ない回路構成とする。このように高周波信号処理部を構成することで、地上ディジタルテレビジョン放送を視聴しているときの消費電力を更に削減できる。
【００５７】
図３は、地上アナログテレビジョン放送の放送波を受信する際に用いる高周波信号処理部と、地上ディジタルテレビジョン放送の放送波を受信する際に用いる高周波信号処理部を別個に設けた場合のチューナモジュールの構成を示している。なお、図３において、図２と対応する部分については同一符号を付し、詳細な説明は省略する。
【００５８】
高周波増幅器２２８は、放送受信アンテナ２１で放送波を受信して得られた高周波信号を所望の信号レベルに増幅してアナログ放送用高周波信号処理部２２１ａの第一混合器２２１-2と、ディジタル放送用高周波信号処理部２２９の混合器２２９-2に供給する。
【００５９】
混合器２２９-2には、局部発振回路２２９-3から発振信号が供給される。混合器２２９-2は、高周波増幅器２２８から供給された高周波信号に、局部発振回路２２９-3から供給された発振信号を掛け合わせて高周波信号のダウンコンバートを行い、中間周波信号を生成する。また、生成した中間周波信号を、増幅器２２９-7を介してディジタル復調部２２６に供給する。
【００６０】
局部発振回路２２９-3は、生成した発振信号を混合器２２９-2と分周回路２２９-4に供給する。分周回路２２９-4と後述する位相比較回路２２９-5および低域フィルタ２２９-6はＰＬＬ回路を構成するためのものである。分周回路２２９-4は、制御部４０から制御信号に含まれる選局指示に応じた分周比で発振信号を分周して位相比較回路２２９-5に供給する。
【００６１】
位相比較回路２２９-5には、基準周波数信号生成部２２３から増幅器２３０を介して基準周波数信号が供給されており、この基準周波数信号と分周回路２２９-4から供給された信号との位相を比較して、比較結果を低域フィルタ２２９-6を介して局部発振回路２２９-3に供給する。このため、局部発振回路２２９-3で生成する発振信号は、選局するチャネルに応じた周波数であって基準周波数信号に同期した信号となる。
【００６２】
基準周波数信号生成部２２３は、生成した基準周波数信号を、増幅器２３０を介してアナログ放送用高周波信号処理部２２１ａの位相比較回路２２１-5，２２１-10と、ディジタル放送用高周波信号処理部２２９の位相比較回路２２９-5、およびディジタル復調部２２６に供給する。
【００６３】
アナログ放送用高周波信号処理部２２１ａとアナログ復調部２２５、あるいはディジタル放送用高周波信号処理部２２９に対する電力供給は、電力供給切換スイッチ２３１を介して行う。
【００６４】
電力供給切換スイッチ２３１は、上述のように復調信号処理回路２２６-3における誤り検出結果やＴＭＣＣ信号のデコード結果、あるいは制御部４０からの制御信号等に基づいて行う。すなわち、復調信号処理回路２２６-3における誤り検出結果が所定のエラーレートを超えていないときや、復調信号処理回路２２６-3でＴＭＣＣ信号のデコードを完了したとき、ポート制御回路２２６-4からの電力供給制御信号によって電力供給切換スイッチ２３１を制御して、アナログ放送用高周波信号処理部２２１ａやアナログ復調部２２５に対する電力供給を行わないものとする。また、誤り検出結果が所定のエラーレートを超えているときや、ＴＭＣＣ信号のデコードを完了できないとき、ポート制御回路２２６-4からの電力供給制御信号によって電力供給切換スイッチ２３１を制御して、アナログ放送用高周波信号処理部２２１ａやアナログ復調部２２５に対する電力供給を行い、ディジタル放送用高周波信号処理部２２９には電力供給を行わないものとする。さらに、電力供給切換スイッチ２３１の制御動作に連動させて表示選択部３３と音声選択部３６で選択される信号の切り換えを行う。すなわち、アナログ放送用高周波信号処理部２２１ａやアナログ復調部２２５に対する電力供給が行われていないときはデコーダ３２から供給された信号を選択させ、アナログ放送用高周波信号処理部２２１ａやアナログ復調部２２５に対する電力供給が行われているときはアナログ復調部２２５からの信号を選択させる。
【００６５】
このように、アナログ放送用高周波信号処理部２２１ａとディジタル放送用高周波信号処理部２２９を分離して設けて、電力供給を電力供給切換スイッチ２３１によって切り換えて行うものとすれば、地上ディジタルテレビジョン放送の受信を行っているときには、アナログ放送用高周波信号処理部２２１ａよりも消費電力の少ないディジタル放送用高周波信号処理部２２９が用いられるので、携帯電話端末の消費電力を更に削減できる。
【００６６】
また、図３に示すチューナモジュールでは、ディジタル復調部２２６にポート制御回路２２６-4を設けるものとしたが、ポート制御回路２２６-4がディジタル復調部２２６に含まれて集積回路化されると、電力供給切換スイッチを制御するためには、ディジタル復調部２２６に電力を供給しておかなければならない。このため、ポート制御回路２２６-4をディジタル復調部２２６から分離して設けるものとして、アナログ放送用高周波信号処理部２２１ａやアナログ復調部２２５に対して電力供給を行うとき、ディジタル放送用高周波信号処理部２２９やディジタル復調部２２６に対する電力供給を停止すれば、地上アナログテレビジョン放送受信時の消費電力を更に少なくすることもできる。
【００６７】
また、アナログ放送用高周波信号処理部２２１ａとディジタル放送用高周波信号処理部２２９を分離して設けた場合、アナログ放送用高周波信号処理部２２１ａ、アナログ復調部２２５、ディジタル復調部２２６、ディジタル放送用高周波信号処理部２２９のそれぞれに対して電力供給を行うものとすると、地上ディジタルテレビジョン放送と地上アナログテレビジョン放送を同時受信することができる。このとき、表示選択部３３はアナログ復調部２２５から供給された信号とデコーダ３２から供給された信号をともに選択して表示駆動処理部３４に供給することで、表示部３５に地上ディジタルテレビジョン放送の番組と地上アナログテレビジョン放送の番組を同時に表示することが可能となる。また、地上ディジタルテレビジョン放送では、動画や音声だけでなくデータサービスも行うことができるようになされている。このため、デコーダ３２でデータ情報を抽出して表示選択部３３を介して表示駆動処理部３４に供給すれば、地上アナログテレビジョン放送の番組を視聴しながら、地上ディジタルテレビジョン放送で提供されたデータ情報、例えばＶＩＣＳ(Vehicle Information and Communication System）情報等を得ることが可能となり、携帯電話端末の機能を高めることができる。
【００６８】
なお、上述の形態では、アナログ放送用高周波信号処理部でダブルスーパーヘテロダイン方式、ディジタル放送用高周波信号処理部でシングルコンバージョン方式を用いるものとしたが、復調方式はこれらの方式に限られるものではない。例えば、アナログ放送用高周波信号処理手段よりも少ない段数の周波数変換を行う方式として、放送受信アンテナ２１で放送波を受信して得られた高周波信号から中間周波信号を生成することなくベースバンド信号を生成できるダイレクトコンバージョン方式を用いてディジタル放送用高周波信号処理部を構成すれば、ＳＡＷフィルタを設ける必要がなく、部品数を削減できるので、更なる小型化が可能となる。また、地上ディジタルテレビジョン放送の受信では１つのセグメントを受信すればよいので、ダイレクトコンバージョン方式を用いても、１セグメント帯域の信号を歪ませることなくベースバンド信号に変換できる。
【００６９】
また、上述の実施の形態では、高周波信号受信装置を携帯電話端末に適用した場合を説明したが、例えば、ＰＤＡ(Personal Digital Assistance)、ノート型パーソナルコンピュータ装置、主に静止画を撮像するためのディジタルスチルカメラや主に動画を接続するためのディジタルビデオカメラなど、表示素子とスピーカ、あるいはヘッドホン端子などの再生音声信号の出力端子を備える電子機器に適用しても良いことは勿論である。
【産業上の利用可能性】
【００７０】
以上のように、本発明にかかる高周波信号受信装置は、携帯型の電子機器等でテレビジョン放送波の受信に適している。
【図面の簡単な説明】
【００７１】
【図１】携帯電話端末の構成を示す図である。
【図２】チューナモジュールの構成を示す図である。
【図３】チューナモジュールの他の構成を示す図である。
【図４】地上アナログテレビジョン放送を受信するための高周波信号受信装置の構成を示す図である。
【図５】地上ディジタルテレビジョン放送を受信するための高周波信号受信装置の構成を示す図である。
【符号の説明】
【００７２】
１０・・・携帯電話端末、１１・・・通信アンテナ、１２・・・携帯電話モジュール、１３・・・受話器、１４・・・送話器、２１，５１・・・放送受信アンテナ、２２・・・チューナモジュール、３１・・・デマルチプレクサ、３２・・・デコーダ、３３・・・表示選択部、３４・・・表示駆動処理部、３５・・・表示部、３６・・・音声選択部、３７・・・音声信号処理部、３８・・・音声出力部、４０・・・制御部、４１・・・ユーザインタフェース、５２，５７，２２１・・・高周波信号処理部、５２-1，５７-1，２２１-1，２２８・・・高周波増幅器、５２-2，２２１-2・・・第一混合器、５２-3，２２１-3・・・第一局部発振回路、５２-4，２２１-7・・・第二混合器、５２-5，５２-8，５７-4，２２１-12，２２１-13，２２９-7，２３０・・・増幅器、５２-5，２２１-8・・・第二局部発振回路、５２-6，５２-7，５７-5・・・ＰＬＬ回路、５３，５４，２２２，２２４・・・ＳＡＷフィルタ、５５・・・アナログ復調部、５５-1，２２５-1・・・中間周波数増幅器、５５-2，２２５-5・・・映像検波器、５５-3，２２５-4・・・発振回路、５５-4，２２１-6，２２１-11，２２５-3，２２５-6，２２９-6・・・低域フィルタ、５５-5，２２５-7・・・映像出力増幅器、５５-6，２２５-8・・・帯域通過フィルタ、５５-7，２２５-9・・・ＦＭ検波回路、５６，５９，２２３・・・基準周波数信号生成部、５７-2，２２９-2・・・混合器、５７-3，２２９-3・・・局部発振回路、５８，２２６・・・ディジタル復調部、５８-1，２２６-1・・・Ａ／Ｄ変換回路、５８-2，２２６-2・・・ＯＦＤＭ復調回路、５８-3，２２６-3・・・復調信号処理回路、６０・・・クロック信号生成部、２２１-5，２２１-10，２２５-2，２２９-5・・・位相比較回路、２２１-4，２２１-9，２２９-4・・・分周回路、２２１ａ・・・アナログ放送用高周波信号処理部、２２５・・・アナログ復調部、２２６-4・・・ポート制御回路、２２７，２３１・・・電力供給切換スイッチ、２２９・・・ディジタル放送用高周波信号処理部
【図１】
2006191388.tif 000003
【図２】
2006191388.tif 000004
【図３】
2006191388.tif 000005
【図４】
2006191388.tif 000006
【図５】
2006191388.tif 000007